(57)【要約】【課題】バスケットホルダの外壁面側に金属製のカバー板を取り付けて製品の外観を向上させ、バスケットホルダの外壁面とカバー板の間に水滴が残留すること、およびコーヒー抽出時にカバー板が高温になることを防止したコーヒーメーカーを提供する。【解決手段】湯水パイプ７の吐出口７ａを貯留容器１の上方に支持する背上部８と、コーヒー粉末の入れられたフィルタを保持するバスケット９と、このバスケット９を収容すると共に吐出口７ａの下方に出し入れさせるためのバスケットホルダ１０とを備え、バスケットホルダ１０を背上部８に着脱可能としたコーヒーメーカーにおいて、バスケットホルダ１０の側壁部２２の外壁面側に金属製のカバー板３０を取り付け、このカバー板３０と前記外壁面とを水捌け隙間Ｇをもって対面させ、この対面部２４に水捌け隙間Ｇを確保するリブ２９ａ、２９ｂ、２９ｂをカバー板３０の内面に合致するように幅をもって突出させた。【選択図】図１
2006314622.tif 000002
【特許請求の範囲】
【請求項１】
湯水パイプの吐出口を貯留容器の上方に支持する背上部と、コーヒー粉末の入れられたフィルタを保持するバスケットと、このバスケットを収容すると共に前記吐出口の下方に出し入れさせるためのバスケットホルダとを備え、前記バスケットホルダを前記背上部に着脱可能としたコーヒーメーカーにおいて、前記バスケットホルダの外壁面側に金属製のカバー板を取り付け、このカバー板と前記外壁面とを水捌け隙間をもって対面させたことを特徴とするコーヒーメーカー。
【請求項２】
前記外壁面の対面部に前記水捌け隙間を確保するリブを前記カバー板の内面に合致するように幅をもって突出させた請求項１に記載のコーヒーメーカー。
【請求項３】
前記カバー板に曲げ爪を形成し、前記バスケットホルダに内外に貫通する爪通し孔を形成し、前記バスケットホルダの内壁面のうち、前記曲げ爪の曲げ片が係止する部分の周囲を、前記曲げ片の片縁よりも内側に膨出させた請求項１または２に記載のコーヒーメーカー。
【発明の詳細な説明】
【技術分野】
【０００１】
この発明は、コーヒー粉末入りのコーヒーフィルタを保持させたバスケットの上方からコーヒーフィルタ内のコーヒー粉末に熱湯を注ぎ、抽出されたコーヒー液をバスケットの下端から貯留容器に流下させる形式のコーヒーメーカーに関する。
【背景技術】
【０００２】
従来から、この種のコーヒーメーカーの中には、湯水パイプの吐出口を熱板上に設置された貯留容器の上方に支持する背上部と、コーヒー粉末の入れられたフィルタを保持するバスケットと、このバスケットを収容するバスケットホルダとを備えたものがある。バスケットホルダは、背上部に対して水平に開閉可能かつ着脱可能に設けられており、バスケットを前記吐出口の下方に出し入れさせるようになっている（特許文献１参照）。
【０００３】
上記のようにバスケットホルダはコーヒーメーカーの使用時に最も目を引く部分であるため、その外観は光沢感に優れていることが好ましい。
【０００４】
【特許文献１】特開２００２−３６０４３４号公報
【発明の開示】
【発明が解決しようとする課題】
【０００５】
しかしながら、バスケットホルダは、一般に樹脂成形品であり、製品ごとに成形誤差がある。このため、バスケットホルダの外壁面側に化粧板として金属製のカバー板を取り付けようとすると、カバー板の成形誤差と相俟って、バスケットホルダの外壁面とカバー板との対面部に微小隙間が生じることが避けられない。このような微小隙間が存在すると、バスケットホルダを背上部から取り外して浸け洗いした際、微小隙間への浸水は、その表面張力によりそのまま水滴として残留し易い。このため、バスケットホルダを背上部に取り付け、コーヒーの抽出を開始すると、蒸気に加熱されたバスケットホルダやカバー板が熱歪を生じて前記微小隙間が広がり、上記水滴が熱板上などに流れ落ちることが起こり得る。
【０００６】
また、金属製のカバー板は、熱伝導性が樹脂よりも高いため、コーヒーの抽出時の蒸気で高温に加熱され易い。しかしながら、コーヒーの抽出後、使用者がバスケットホルダを直ぐに開くこともある。このため、製品の使用感や安全性を考慮すると、カバー板が高温になることは好ましくない。
【０００７】
そこで、この発明の目的は、上記の問題点に鑑みて、バスケットホルダの外壁面側に金属製のカバー板を取り付けて製品の外観を向上させ、バスケットホルダの外壁面とカバー板の間に水滴が残留すること、およびコーヒー抽出時にカバー板が高温になることを防止したコーヒーメーカーを提供することにある。
【課題を解決するための手段】
【０００８】
上記の目的を達成するため、この発明は、湯水パイプの吐出口を貯留容器の上方に支持する背上部と、コーヒー粉末の入れられたフィルタを保持するバスケットと、このバスケットを収容すると共に前記吐出口の下方に出し入れさせるためのバスケットホルダとを備え、前記バスケットホルダを前記背上部に着脱可能としたコーヒーメーカーにおいて、前記バスケットホルダの外壁面側に金属製のカバー板を取り付け、このカバー板と前記外壁面とを水捌け隙間をもって対面させたことを特徴とする。
【０００９】
ここで、「水捌け隙間」とは、カバー板とバスケットホルダの外壁面との対面隙間に浸入した水が、その表面張力により対面隙間に水滴として残留することのない間隔の隙間をいう。
【００１０】
この発明の構成によれば、前記バスケットホルダの外壁面側に金属製のカバー板を取り付け、このカバー板と前記外壁面とを水捌け隙間をもって対面させたので、バスケットホルダの浸け洗い時にカバー板とバスケットホルダの外壁面との間に浸入した水は、表面張力により水滴としてカバー板や前記外壁面に付着することなく速やかに流下し、外部に流出する。このため、バスケットホルダの外壁面とカバー板との間に水滴が残留することが防止される。
【００１１】
また、上記水捌け隙間は、バスケットホルダの外壁面とカバー板との間で空気断熱層として作用するため、コーヒー抽出時にカバー板が高温になることも防止される。
【００１２】
しかし、水捌け隙間を完全な中空空間とすると、カバー板の取り付け時などにカバー板に凹みを生じ易い。カバー板が凹むと水捌け隙間に狂いが生じる。
【００１３】
そこで、前記外壁面の対面部に前記水捌け隙間を確保するリブを前記カバー板の内面に合致するように幅をもって突出させた構成を採用することが好ましい。この構成によれば、カバー板が前記外壁面の対面部に前記水捌け隙間を確保するリブにより支持されるので、カバー板の凹みが防止される。また、この構成では、リブを前記カバー板の内面に合致するように幅をもって突出させたので、リブとカバー板との間に隙間が生じることが防止されると共に、カバー板とリブとの接触が穏やかになり、カバー板の局所的な外向き変形が防止される。このため、この構成によれば、カバー板の光沢状態が局所的に変化することを防止することができる。
【００１４】
この発明の構成においては、カバー板をバスケットホルダにねじ止めしてもよいが、ねじの分だけ部材数が増える。そこで、カバー板に取り付け用の曲げ爪を形成し、バスケットホルダに内外に貫通する爪通し孔を形成し、曲げ爪によりバスケットホルダの内壁面にカバー板を係止させる構成を採用することが好ましい。ところが、この構成では、バスケットホルダを布拭きする際、布が曲げ爪の曲げ片の片縁に引っ掛る恐れがある。布が引っ掛ると、曲げ片が起こされてカバー板の係止にガタツキが生じ、水捌け隙間が狂うことも起こり得る。また、使用者がバスケットホルダを振って水きりをする際、バスケットホルダを掴む指が曲げ片の片縁に触れて傷つくことも確実に防止する必要がある。
【００１５】
そこで、前記カバー板に曲げ爪を形成し、前記バスケットホルダに内外に貫通する爪通し孔を形成し、前記バスケットホルダの内壁面のうち、前記曲げ爪の曲げ片が係止する部分の周囲を、前記曲げ片の片縁よりも内側に膨出させた構成を採用することが好ましい。この構成によれば、前記バスケットホルダの内壁面のうち、前記曲げ爪の曲げ片が係止する部分の周囲を、前記曲げ片の片縁よりも内側に膨出させたので、布拭き時、バスケットホルダの内壁面に沿って移動する布は、膨出部分により曲げ片の上方を通過させられる。このため、布が曲げ片の片縁に引っ掛かることが防止される。また、バスケットホルダを掴む使用者の指に曲げ片の片縁が触れることも防止される。
【発明の効果】
【００１６】
上述のように、この発明のコーヒーメーカーは、バスケットホルダの外壁面側に金属製のカバー板を取り付けたので、製品の外観を向上させることができ、かつ、カバー板と前記外壁面とを水捌け隙間をもって対面させたので、バスケットホルダの外壁面とカバー板の間に水滴が残留すること、およびコーヒー抽出時にカバー板が高温になることを防止できる。
【発明を実施するための最良の形態】
【００１７】
以下、この発明の最良の実施形態に係るコーヒーメーカーを添付図面に基づいて説明する。図１は、このコーヒーメーカーの縦断側面視を示す。このコーヒーメーカーは、貯留容器１と、この貯留容器１が載置される熱板２を装着した基部３と、基部３の導水口４に差し込まれる水タンク５と、熱板２の下方に取り付けられた電熱ヒータ６と、水タンク４から供給される水を電熱ヒータ６に沿って通す湯水パイプ７と、この湯水パイプ７の吐出口７ａを貯留容器１の上方に支持すると共に水タンク５が係止される背上部８と、コーヒー粉末の入れられたフィルタを保持するバスケット９と、このバスケット９を収容すると共に吐出口７ａの下方に出し入れさせるためのバスケットホルダ１０とを備える。
【００１８】
電熱ヒータ６で加熱された熱湯は、吐出口７ａからこの下方に設けられた浄水フィルタ１１を通ってバスケット９に保持されたフィルタ内のコーヒー粉末に注がれ、コーヒー抽出液がバスケット９の下端に設けられた弁１２を介して貯留容器１に貯められるようになっている。
【００１９】
図２は、背上部８の斜め上方視を示す。背上部８は、図１、図２に示すように、基部３から立上る縦壁１３と、縦壁１３から前方に延びる横壁１４と、横壁１４の上方を覆うトップカバー１５とを有する。縦壁１３には、横壁１４と基部３との間に湯水パイプ７を通すための配管用縦穴１６が形成されている。横壁１４は、吐出口７ａを支持し、その下面に浄水フィルタ１１が装着されている。
【００２０】
配管用縦穴１６の下方は、基部３内の充電部の設置空間に連通するため、横壁１４とトップカバー１５との前方側に生じる微小な嵌合隙間から背上部８の内部空間に蒸気が侵入した場合でも結露水が配管用縦穴１６に流れることのないようになっている。具体的には、横壁１４は、トップカバー１５との嵌合部のうち、外周前方側に沿って外周リブ１７が形成されており、蒸気が内部空間に入り込み難くなっている。また、図３に配管用縦穴１６付近の拡大縦断面視を示すように、横壁１４の上面には、配管用縦穴１６の手前側を下向きに凹入させることにより遮水リブ１８が形成されている。この遮水リブ１８により、結露水が配管用縦穴１６に流れることが防止される。
【００２１】
また、背上部８には、バスケットホルダ１０が水平方向に開閉可能に軸支されている。このバスケットホルダ１０は、図１および図４にその拡大縦断側面視を示すように、バスケット９を保持する上下端開放のホルダー部２１と、後端開放の側壁部２２とを有する。側壁部２２の上下両辺の後端近傍には、背上部８に着脱可能に差し込まれる軸部２３が形成されている。
【００２２】
バスケットホルダ１０は、図５（ａ）に示すように、開き位置にある状態でホルダー部２１に収容されたバスケット９を横壁１４の外方に露出させ、図５（ｂ）に示すように、閉じ位置にある状態で、側壁部２２と背上部８とが閉じ合うようになっている。
【００２３】
図６は、バスケットホルダ１０の前方斜め上方からの分解斜視を示す。側壁部２２の外壁面側には、図４、図６に示すように、金属製のカバー板３０が取り付けられている。側壁部２２の外壁面とカバー板３０とは、水捌け隙間Ｇをもって対面するように形成されている。このコーヒーメーカーでは、水捌け隙間Ｇは、カバー板３０とバスケットホルダ１０の外壁面との対面隙間に浸入した水が、その表面張力により対面隙間に水滴として残留することのない間隔とされている。なお、カバー板３０にはステンレス板が用いられている。
【００２４】
側壁部２２の外壁面のうち、カバー板３０との対面部２４は、上下端および後端開放の半円筒状に形成されている。一方、カバー板３０は対面部２４に沿う形状とされている。ここで、対面部２４を半円筒状としたのは、カバー板３０の成形を容易とし、水捌け隙間Ｇの寸法精度を安定させるためである。
【００２５】
対面部２４の外壁面には、その円弧辺２５側に進む連れて内側に傾く縦断面テーパ状の切欠溝２６が形成されている。
【００２６】
一方、カバー板３０の円弧辺３１は、この切欠溝２６の最奥部に合致する内向きの折り曲げ状とされている。また、カバー板３０は、円弧辺３１の円弧中心に形成された曲げ爪３２と、その側端３３の上下２箇所に形成された曲げ爪３４とを有する。バスケットホルダ１０は、内外に貫通する爪通し孔２７、２８を有し、曲げ爪３２、３４を外側から差し込み可能とされている。
【００２７】
図７（ａ）は、バスケットホルダ１０の前面視を示し、図７（ｂ）は、バスケットホルダ１０の後面視を示す。図８（ａ）は、図７（ａ）のＡ−Ａ線の断面視を示し、図８（ｂ）は、図８（ａ）のＢ−Ｂ線の断面視を示し、図８（ｃ）は、図８（ｂ）の矢示方向視を示す。曲げ爪３２が差し込まれる爪通し孔２７は、図４、図７に示すように、切欠溝２６の最奥部に形成されており、側壁部２２の内壁面のうち、曲げ爪３２の曲げ片３２ａが係止する部分の周囲を曲げ片３２ａの片縁よりも内側に膨出するように形成されている。これにより、曲げ片３２ａの片縁は、膨出部２２ａに埋没した状態となっている。このため、バスケットホルダ１０の布拭き時や水きり時に、布や指が曲げ片３２ａの片縁に触れることがない。
【００２８】
一方、曲げ爪３４が差し込まれる爪通し孔２８は、図７、図８に示すように、対面部２４の両側に形成されており、側壁部２２の内壁面に形成された後端開放のボックス壁２８ａにより囲まれている。曲げ爪３４の曲げ片３４ａは、爪通し孔２８に差し込まれた状態で捻ることにより側壁部２２の内壁面に引っ掛けられている。この状態で、曲げ片３４ａは、ボックス壁２８ａの内側に収まっており、布拭き時などに布や指が触れることのないようになっている。
【００２９】
カバー板３０は、曲げ爪３２、３４により側壁部２２に取り付けられた状態で、対面部２４に形成されたリブ２９ａ、２９ｂ、２９ｂにより外向きに支持されている。リブ２９ａ、２９ｂ、２９ｂは、水捌け隙間Ｇの間隔と突出高さを同じないし略同じとされており、かつカバー板３０の内面に合致するように幅をもって突出させられている。リブ２９ａは、対面部２４の円弧長中心上かつ上下方向中心上に形成されており、リブ２９ｂは、円弧長方向でリブ２９ａと爪通し孔２８の間かつ上下方向中心上に形成されている。このため、カバー板３０は、対面部２４の円弧長方向にバランスよく支持され、水捌け隙間Ｇが確保されるようになっている。
【００３０】
特に、このコーヒーメーカーは、カバー板３０が取り付けられた状態で、その円弧辺３１が円弧長方向全域で切欠溝２６の最奥部に合致するため、水捌け隙間Ｇがより確実に確保される。この際、その円弧辺３１が縦断面テーパ状の切欠溝２６の最奥部に合致するため、円弧辺３１と切欠溝２６との間が広がっている。これにより、円弧辺３１を内向きに折り曲げても、円弧辺３１と対面部２４との間に水滴が残留し難くなっている。
【００３１】
したがって、このコーヒーメーカーは、カバー板３０と側壁部２２との間に浸水しても、水滴は、水捌け隙間Ｇ内を円滑に流れ、爪通し孔２７、２８やカバー板３０の端縁から外部に流出する。このため、バスケットホルダ１０を浸け洗いした場合でも、軽く振って水切りをするだけでよい。
【図面の簡単な説明】
【００３２】
【図１】実施形態に係るコーヒーメーカーの縦断側面図
【図２】図１の背上部の分解斜視図
【図３】図２の横壁の遮水リブ付近の拡大縦断面図
【図４】図１のバスケットホルダの拡大縦断面図
【図５】（ａ）図１のバスケットホルダが開き位置にある状態を示す斜視図、（ｂ）図１のバスケットホルダが閉じ位置にある状態を示す斜視図
【図６】図１のバスケットホルダの分解斜視図
【図７】（ａ）図１のバスケットホルダの前面図、（ｂ）図１のバスケットホルダの後面図
【図８】（ａ）図７（ａ）のＡ−Ａ線の断面を示す要部拡大横断図、（ｂ）図８（ａ）のＢ−Ｂ線の断面を示す拡大断面図、（ｃ）図８（ｂ）の矢示方向視を示す拡大後面図
【符号の説明】
【００３３】
１  貯留容器
２  熱板
３  基部
４  導水口
５  水タンク
６  電熱ヒータ
７  湯水パイプ
７ａ  吐出口
８  背上部
９  バスケット
１０  バスケットホルダ
１１  浄水フィルタ
１２  弁
１３  縦壁
１４  横壁
１５  トップカバー
１６  配管用縦穴
１７  外周リブ
１８  遮水リブ
２１  ホルダー部
２２  側壁部
２３  軸部
２４  対面部
２５  円弧辺
２６  切欠溝
２７、２８  爪通し孔
２８ａ  ボックス壁
２９ａ、２９ｂ、２９ｂ  リブ
３０  カバー板
３１  円弧辺
３２、３４  曲げ爪
３２ａ、３４ａ  曲げ片
３３  側端
【図１】
2006314622.tif 000003
【図２】
2006314622.tif 000004
【図３】
2006314622.tif 000005
【図４】
2006314622.tif 000006
【図５】
2006314622.tif 000007
【図６】
2006314622.tif 000008
【図７】
2006314622.tif 000009
【図８】
2006314622.tif 000010